(57)【要約】【課題】耐腐食性を高めた溝形断面部材を有する鋼矢板及びそれを用いた壁体を提供する。【解決手段】両側のウェブ９とフランジ１０とにより形成される溝を備え、各ウェブにアーム部１９が一体に連設され、各アーム部１９に、継手１２が一体に形成されて溝付き鋼矢板４が形成され、間隔をおいた両側面板１４を一体に接続する正面板３ａを有する溝形断面部材３が形成され、溝付き鋼矢板４の長手方向の所定範囲Ｌに、所定範囲Ｌに対応した長さで、各側面板１４の他端が溶接等の手段で、溝付き鋼矢板４の表面に固定され、溝付き鋼矢板４と溝形断面部材３により空間部５が形成され、溝付き鋼矢板４及び溝形断面部材３のいずれか一方又は両方に固定された上部閉塞板２４が設けられて空間部５の上端部が閉塞され、正面板３ａの両端部は、溝付き鋼矢板４の各継手の中心軸線を結ぶ線分Ｃからの距離Ｒに差を設けて配置され、かつ空間部５に硬化性充填材７が充填される。【選択図】図４
2014125772.tif 000002
【特許請求の範囲】
【請求項１】
両側のウェブ（９）とこれらのウェブ（９）を一体に接続しているフランジ（１０）とにより形成される溝を備え、各ウェブ（９）にアーム部（１９）が一体に連設され、各アーム部（１９）の端部に、継手（１２）が一体に形成されて溝付き鋼矢板（４）が形成され、間隔をおいて両側に側面板（１４）を有すると共にこれらの側面板（１４）を一体に接続する正面板（３ａ）を有する溝形断面部材（３）が形成され、前記溝付き鋼矢板（４）の長手方向の所定範囲（Ｌ）に、前記所定範囲（Ｌ）に対応した長さで、各前記側面板（１４）の他端が溶接等の手段で、前記溝付き鋼矢板（４）の表面に固定され、前記溝付き鋼矢板（４）と前記溝形断面部材（３）により空間部（５）が形成され、前記溝付き鋼矢板（４）及び前記溝形断面部材（３）のいずれか一方又は両方に固定された上部閉塞板（２４）が設けられて前記空間部（５）の上端部が閉塞され、前記正面板（３ａ）の両端部は、前記溝付き鋼矢板（４）の各継手（１２）の中心軸線を結ぶ線分（Ｃ）からの距離（Ｒ）に差を設けて配置されて、前記溝付き鋼矢板（４）における継手相互を嵌合して壁体（２７）を形成した場合に、隣り合う前記正面板（３ａ）の端部が壁厚方向の内外に位置をずらして配置可能にされ、かつ前記空間部（５）に硬化性充填材（７）が充填されて耐腐食性が高められていることを特徴とする溝形断面部材を有する鋼矢板。
【請求項２】
前記上部閉塞板（２４）は、前記硬化性充填材（７）を充填するための充填孔（３７）と、前記硬化性充填材（７）を充填するときの空気抜きとして用いられる空気孔（３８）とが形成されることを特徴とする請求項１に記載の溝形断面部材を有する鋼矢板。
【請求項３】
前記上部閉塞板（２４）は、前記充填孔（３７）及び前記空気孔（３８）の何れか一方又は両方に棒状補強部材（３９）が挿通され、前記硬化性充填材（７）が前記棒状補強部材（３９）を内部に配置した状態で硬化されることを特徴とする請求項２に記載の溝形断面部材を有する鋼矢板。
【請求項４】
前記側面板（１４）は、表面に溝部（１４ｃ）又は突起部（１４ｄ）が形成されることを特徴とする請求項１〜３のいずれか１項に記載の溝形断面部材を有する鋼矢板。
【請求項５】
前記正面板（３ａ）は、平面視で、前記溝付き鋼矢板（４）に対して傾斜配置されていることを特徴とする請求項１〜４のいずれか１項に記載の溝形断面部材を有する鋼矢板。
【請求項６】
前記正面板（３ａ）は、前記溝付き鋼矢板（４）と同じ断面形態の鋼矢板が用いられていることを特徴とする請求項１〜５のいずれか１項に記載の溝形断面部材を有する鋼矢板。
【請求項７】
前記溝形断面部材（３）における一方の前記側面板（１４）は、前記溝付き鋼矢板（４）の継手（２）外面に溶接等の固定手段により固定されていることを特徴とする請求項１〜６のいずれか１項に記載の溝形断面部材を有する鋼矢板。
【請求項８】
前記空間部（５）の下端部は、前記溝付き鋼矢板（４）及び前記溝形断面部材（３）のいずれか一方又は両方に固定された下部閉塞板（６）が設けられて閉塞されていることを特徴とする請求項１〜７のいずれか１項に記載の溝形断面部材を有する鋼矢板。
【請求項９】
前記溝付き鋼矢板（４）及び前記溝形断面部材（３）のいずれか一方又は両方の所定箇所にスリット（３６）を設け、前記正面板（３ａ）又は前記溝付き鋼矢板（４）の前記空間部（５）側の表面の前記スリット（３６）に対応した箇所に係止用鋼板（２９）を溶接等の手段で固定し、前記係止用鋼板（２９）を前記スリット（３６）に挿入し、前記係止用鋼板（２９）の端部は前記溝付き鋼矢板（４）又は前記溝形断面部材（３）に溶接等の手段で固定されていることを特徴とする請求項１〜８のいずれか１項に記載の溝形断面部材を有する鋼矢板。
【請求項１０】
前記正面板（３ａ）及び前記溝付き鋼矢板（４）のいずれか一方又は両方の所定箇所に開孔（３０）を設け、前記溝付き鋼矢板（４）又は前記溝形断面部材（３）の前記空間部（５）側の表面の前記開孔（３０）に対応した箇所に棒状部材（３２）を溶接等の手段で固定し、前記棒状部材（３２）を前記開孔（３０）に挿入し、前記棒状部材（３２）の端部は前記正面板（３ａ）又は前記溝付き鋼矢板（４）に溶接やナットによる螺合等の手段で固定されていることを特徴とする請求項１〜９のいずれか１項に記載の溝形断面部材を有する鋼矢板。
【請求項１１】
前記溝付き鋼矢板（４）と前記正面板（３ａ）とが、それらの上部及び下部のいずれか一方又は両方の箇所において、鋼板等からなる間隔保持材（２６）を溶接等の手段により固定していることを特徴とする請求項１〜１０のいずれか１項に記載の溝形断面部材を有する鋼矢板。
【請求項１２】
前記溝形断面部材（３）は、前記正面板（３ａ）及び前記側面板（１４）の何れか一方又は両方の所定範囲に、所定厚さの鋼板が取り付けられること
を特徴とする請求項１〜１１のいずれか１項に記載の溝形断面部材を有する鋼矢板。
【請求項１３】
前記溝形断面部材（３）は、前記正面板（３ａ）及び前記側面板（１４）の何れか一方又は両方の板厚の一部が、他の部位に比較して部分的に厚くなっていること
を特徴とする請求項１〜１２のいずれか１項に記載の溝形断面部材を有する鋼矢板。
【請求項１４】
請求項１〜１３のいずれか１項に記載の前記溝形断面部材を有する鋼矢板のみを複数枚配置し、又は請求項１〜１３のいずれか１項に記載の前記溝形断面部材を有する鋼矢板間に少なくとも１枚の前記溝形断面部材を有しない鋼矢板を配置し、隣り合う鋼矢板の継手相互を連結して地盤に打設したことを特徴とする壁体。
【発明の詳細な説明】
【技術分野】
【０００１】
本発明は、港湾鋼構造物等の水域構造物や擁壁、土留壁などの陸域構造物に用いられる鋼矢板、特に、耐腐食性を高めた溝形断面部材を有する鋼矢板及びそれを用いた壁体に関する。
【背景技術】
【０００２】
従来、港湾鋼構造物についての集中腐食対策として、下記［１］〜［３］に代表される工法が知られている（例えば、非特許文献１参照）。
【０００３】
［１］コンクリートライニング
［２］ペトロラタムライニング（ＦＲＰカバー等を保護カバーとして使用）
［３］有機質ライニング（ポリエチレン、ポリウレタンなど）
【０００４】
前記［１］〜［３］の従来技術の問題点としては、下記のようなことがある。
【０００５】
前記［１］、［２］の工法の場合は、鋼矢板を水底地盤上に打設等の手段で配設した後、支保工、型枠の設置や配筋などに潜水士等による作業が必要となる。このため、工事期間が長期化するとともに工事費用が嵩むといった問題があった。
【０００６】
また、前記［１］、［２］の工法は［３］の工法に比較し、流木や氷盤の衝突、擦過などの機械的作用による損傷を受けづらいが、損傷が発生した場合には、損傷部の補修に手間を要するとともに、手直し部の耐久性が劣るといった問題があった。
【０００７】
前記［３］の工法は、鋼矢板を水底地盤上に打設等の手段で配設する前に、工場などであらかじめ鋼矢板に被覆処理をしたもので、［１］、［２］の工法に比較し安価である。しかし、［１］、［２］の工法に比較して、流木や氷盤の衝突、擦過などの機械的作用により損傷を受けやすく、損傷部の補修に手間を要するとともに、手直し部の耐久性が劣るといった問題があった。
【０００８】
前記のような従来技術を解決する技術として、図２４に示すように、フランジ１０の両端部に外側に向かって広がるように傾斜したウェブ９が一体に連設され、各ウェブ９に前記フランジ１０と平行にアーム部１９、１９が一体に連設され、各アーム部１９、１９の端部に、継手１２が一体に形成されている断面ハット形のハット形鋼矢板２とし、そのハット形鋼矢板２におけるアーム部１９の水域側の外面でアーム部１９幅方向中間部に、前記鋼製カバー材３１における取り付け用帯状鋼板１４１を直角に当接して溶接により固定して、鋼製カバーを有する鋼矢板８１を構成することが知られていると共に、前記のような鋼製カバーを有する鋼矢板８１の継手相互を噛み合わせて水域地盤に打設して壁体１６１を構成することも知られている（例えば、特許文献１参照）。前記の場合、鋼製カバー材３１内側の空間部５には、経時硬化性充填材７が充填されている。
【０００９】
前記のハット形鋼矢板２は、ハット形鋼矢板２における左右の各継手１２は、アーム部１９、１９の中心軸線の中央点に対して、点対称形状の継手１２とされ、隣り合うハット形鋼矢板２相互の継手１２を嵌合した場合に、アーム部中心軸線上にハット形鋼矢板２を配設することも可能にされ、継手１２には嵌合溝および係止爪部を備えているハット形鋼矢板２とされている。従来の形態では、溝付き鋼矢板としてのハット形鋼矢板２のアーム部中間部まで、鋼製カバー材３１により被覆して防錆を図ることができる。
【００１０】
前記従来の場合には、下記（１）〜（６）のような効果を発揮することができる。
（１）  溝付き鋼矢板には、予め鋼製カバー材が設けられているので、溝付き鋼矢板における集中腐食部位を鋼製カバー材により防護することができ、溝付き鋼矢板自身の集中腐食を回避することができる。
（２）  鋼製カバー材を使用するので、流木や氷盤が衝突しても機械的損傷を受けづらい。
（３）  工場などであらかじめ溝付き鋼矢板に鋼製カバーを取り付けることができるので、安価な溝付き鋼矢板とすることができる。
（４）  空間部への充填材の充填は、溝付き鋼矢板を打設する前に、充填しておく場合と、溝付き鋼矢板打設後に充填する場合があるが、いずれも、予め充填する空間部が形成されているので、充填作業が容易である。
（５）  鋼製カバー材において、集中腐食部位の腐食が進行した場合には、当該部位を覆うように鋼板を溶接するだけで、容易に鋼製カバー材としての機能を回復させることができる。
（６）  空間部に充填材が充填されているので、鋼矢板壁の点検作業時において、鋼製カバー材における集中腐食の進行を見逃し、鋼製カバー材に貫通孔が生じても、セメント硬化体などの充填材が本体鋼矢板を保護することができる。このため、集中腐食現象を見逃しても大きな問題は生じない。
【先行技術文献】
【特許文献】
【００１１】
【特許文献１】特開２００９−１０２９０６号公報
【非特許文献】
【００１２】
【非特許文献１】港湾鋼構造物防食・補修マニュアル（改訂版）、平成９年４月、（財）沿岸開発技術研究センター、ｐ８３−１０８
【非特許文献２】港湾鋼構造物防食・補修マニュアル（改訂版）、平成９年４月、（財）沿岸開発技術研究センター、ｐ１３−１７
【発明の概要】
【発明が解決しようとする課題】
【００１３】
しかし、従来の鋼製カバーを有する鋼矢板８１は、鋼矢板８１を打設した後、硬化性充填材を充填するまでの間で、荒天等によって波が荒くなった場合に、海底の底質（海底を構成する砂等の土粒子）が巻き上げられ、鋼矢板８１の上方から波が打ちつけられることで、この海底の底質が空間部５の上端部から侵入し、空間部５に砂等が堆積することになるという問題があった。また、従来の鋼製カバーを有する鋼矢板８１は、鋼矢板８１の上方から波が打ちつけられることで、海中の漂流物等が空間部５の上端部から侵入し、空間部５に漂流物等が堆積したり、ひっかかったりすることになるという問題があった。
【００１４】
このとき、従来の鋼製カバーを有する鋼矢板８１は、空間部５に硬化性充填材７を充填するときに、空間部５に堆積した砂や漂流物等を除去することが必要となり、この除去作業が必要となることで工期が長期化するとともに、施工コストが増大することになるという問題があった。
【００１５】
前記従来の鋼製カバーを有する鋼矢板８１の場合は、取り付け用帯状鋼板１４１を同じ幅で狭幅のものを用い同じ方向に設置しているため、部材断面上、以下（１）、（２）のことが言える。
（１）溝付き鋼矢板４と鋼製カバーは、壁体構築方向（継手中心軸線Ｃ方向）で、同一方向に配設されている。このため、互いの断面の重心位置が近く（重心の離間距離が小さい）、合成断面としての断面性能は、狭幅と広幅のものを用い同じ方向に設置し、溝付き鋼矢板４に対して鋼製カバーの左右両端部を壁体構築方向（継手中心軸線Ｃ方向）で、壁厚方向に対して前後に位置をずらしたり傾斜させたりすることで非同一方向に配置されている場合に比べて小さい。
また、断面２次モーメントは重心軸線からの距離の３乗に比例するから、同じ部材を継手中心軸線Ｃに対して傾斜させる方が断面２次モーメントは大きくなる。
（２）溝付き鋼矢板がハット形鋼矢板の場合、
（ａ）取り付け用帯状鋼板（間隔保持部材）は、アーム部分に固定されている。このため、継手及びその近傍は鋼面が露出しており、このままだと腐食が進行し、断面性能の低下を招く。
（ｂ）鋼製カバーとして、ハット形鋼矢板の両側継手を切断した、継手を有しない断面ハット形形状の鋼板を使用している。このため、継手の切断コストや切断に伴う発生ひずみの矯正コストが嵩む、切断した継手に対応した分だけ剛性が低下するという問題もある。
また、隣り合うハット形鋼矢板２の継手同士の水域側の外面は、カバー材間により形成される溝奥部にあるものの露出しているので、隣り合うハット形鋼矢板２の継手嵌合部の外面は、両方の継手とも、腐食する恐れがあるという問題がある。したがって、より一層、継手嵌合部の防錆を図ることが可能な鋼矢板及び壁体の余地がある。
本発明は、耐腐食性を高めた溝形断面部材を有する鋼矢板及びそれを用いた壁体を提供することを目的とする。
【課題を解決するための手段】
【００１６】
第１発明の溝形断面部材を有する鋼矢板では、両側のウェブ（９）とこれらのウェブ（９）を一体に接続しているフランジ（１０）とにより形成される溝を備え、各ウェブ（９）にアーム部（１９）が一体に連設され、各アーム部（１９）の端部に、継手（１２）が一体に形成されて溝付き鋼矢板（４）が形成され、間隔をおいて両側に側面板（１４）を有すると共にこれらの側面板（１４）を一体に接続する正面板（３ａ）を有する溝形断面部材（３）が形成され、前記溝付き鋼矢板（４）の長手方向の所定範囲（Ｌ）に、前記所定範囲（Ｌ）に対応した長さで、各前記側面板（１４）の他端が溶接等の手段で、前記溝付き鋼矢板（４）の表面に固定され、前記溝付き鋼矢板（４）と前記溝形断面部材（３）により空間部（５）が形成され、前記溝付き鋼矢板（４）及び前記溝形断面部材（３）のいずれか一方又は両方に固定された上部閉塞板（２４）が設けられて前記空間部（５）の上端部が閉塞され、前記正面板（３ａ）の両端部は、前記溝付き鋼矢板（４）の各継手（１２）の中心軸線を結ぶ線分からの距離（Ｒ）に差を設けて配置されて、前記溝付き鋼矢板（４）における継手相互を嵌合して壁体（２７）を形成した場合に、隣り合う前記正面板（３ａ）の端部が壁厚方向の内外に位置をずらして配置可能にされ、かつ前記空間部（５）に経時硬化性充填材（７）が充填されて耐腐食性が高められていることを特徴とする。
【００１７】
第２発明では、第１発明の溝形断面部材を有する鋼矢板において、前記上部閉塞板（２４）は、前記硬化性充填材（７）を充填するための充填孔（３７）と、前記硬化性充填材（７）を充填するときの空気抜きとして用いられる空気孔（３８）とが形成されることを特徴とする。
【００１８】
第３発明では、第２発明の溝形断面部材を有する鋼矢板において、前記上部閉塞板（２４）は、前記充填孔（３７）及び前記空気孔（３８）の何れか一方又は両方に鉄筋等の棒状補強部材（３９）が挿通され、前記硬化性充填材（７）が前記棒状補強部材（３９）を内部に配置した状態で硬化されることを特徴とする。
【００１９】
第４発明では、第１発明〜第３発明のいずれかの溝形断面部材を有する鋼矢板において、前記側面板（１４）は、表面に溝部（１４ｃ）又は突起部（１４ｄ）が形成されることを特徴とする。
【００２０】
第５発明では、第１発明〜第４発明のいずれかの溝形断面部材を有する鋼矢板において、前記正面板（３ａ）は、平面視で、前記溝付き鋼矢板（４）に対して傾斜配置されていることを特徴とする。
【００２１】
第６発明では、第１発明〜第５発明のいずれかの溝形断面部材を有する鋼矢板において、前記正面板（３ａ）は、前記溝付き鋼矢板（４）と同じ断面形態の鋼矢板が用いられていることを特徴とする。
【００２２】
第７発明では、第１発明〜第６発明のいずれかの溝形断面部材を有する鋼矢板において、前記溝形断面部材（３）における一方の前記側面板（１４）は、前記溝付き鋼矢板（４）の継手（２）外面に溶接等の固定手段により固定されていることを特徴とする。
【００２３】
第８発明では、第１発明〜第７発明のいずれかの溝形断面部材を有する鋼矢板において、前記空間部（５）の下端部は、前記溝付き鋼矢板（４）及び前記溝形断面部材（３）のいずれか一方又は両方に固定された下部閉塞板（６）が設けられて閉塞されていることを特徴とする。
【００２４】
第９発明では、第１発明〜第８発明のいずれかの溝形断面部材を有する鋼矢板において、前記溝付き鋼矢板（４）及び前記溝形断面部材（３）のいずれか一方又は両方の所定箇所にスリット（２８）を設け、前記正面板（３ａ）又は前記溝付き鋼矢板（４）の前記空間部（５）側の表面の前記スリット（２８）に対応した箇所に係止用鋼板（２９）を溶接等の手段で固定し、前記係止用鋼板（２９）を前記スリット（２８）に挿入し、前記係止用鋼板（２９）の端部は前記溝付き鋼矢板（４）又は前記溝形断面部材（３）に溶接等の手段で固定されていることを特徴とする。
【００２５】
第１０発明では、第１発明〜第９発明のいずれかの溝形断面部材を有する鋼矢板において、前記正面板（３ａ）及び前記溝付き鋼矢板（４）のいずれか一方又は両方の所定箇所に開孔（３０）を設け、前記溝付き鋼矢板（４）又は前記溝形断面部材（３）の前記空間部（５）側の表面の前記開孔（３０）に対応した箇所に棒状部材（３２）を溶接等の手段で固定し、前記棒状部材（３２）を前記開孔（３０）に挿入し、前記棒状部材（３２）の端部は前記正面板（３ａ）又は前記溝付き鋼矢板（４）に溶接やナットによる螺合等の手段で固定されていることを特徴とする。
【００２６】
第１１発明では、第１発明〜第１０発明のいずれかの溝形断面部材を有する鋼矢板において、前記溝付き鋼矢板（４）と前記正面板（３ａ）とが、それらの上部及び下部のいずれか一方又は両方の箇所において、鋼板等からなる間隔保持材（２６）を溶接等の手段により固定していることを特徴とする。
【００２７】
第１２発明では、第１発明〜第１１発明のいずれかの溝形断面部材を有する鋼矢板において、前記溝形断面部材（３）は、前記正面板（３ａ）及び前記側面板（１４）の何れか一方又は両方の所定範囲に、所定厚さの鋼板が取り付けられることを特徴とする。
【００２８】
第１３発明では、第１発明〜第１２発明のいずれかの溝形断面部材を有する鋼矢板において、前記溝形断面部材（３）は、前記正面板（３ａ）及び前記側面板（１４）の何れか一方又は両方の板厚の一部が、他の部位に比較して部分的に厚くなっていることを特徴とする。
【００２９】
第１４発明の壁体では、第１発明〜第１３発明のいずれかの前記溝形断面部材を有する鋼矢板のみを複数枚配置し、又は請求項１〜１３のいずれか１項に記載の前記溝形断面部材を有する鋼矢板間に少なくとも１枚の前記溝形断面部材を有しない鋼矢板を配置し、隣り合う鋼矢板の継手相互を連結して地盤に打設したことを特徴とする。
【発明の効果】
【００３０】
第１発明の溝形断面部材を有する鋼矢板によると、両側のウェブ（９）とこれらのウェブ（９）を一体に接続しているフランジ（１０）とにより形成される溝を備え、各ウェブ（９）にアーム部（１９）が一体に連設され、各アーム部（１９）の端部に、継手（１２）が一体に形成されて溝付き鋼矢板（４）が形成され、間隔をおいて両側に側面板（１４）を有すると共にこれらの側面板（１４）を一体に接続する正面板（３ａ）を有する溝形断面部材（３）が形成され、前記溝付き鋼矢板（４）の長手方向の所定範囲（Ｌ）に、前記所定範囲（Ｌ）に対応した長さで、前記各側面板（１４）の他端が溶接等の手段で、前記溝付き鋼矢板（４）の表面に固定され、前記溝付き鋼矢板（４）と前記溝形断面部材（３）により空間部（５）が形成され、前記溝付き鋼矢板（４）及び前記溝形断面部材（３）のいずれか一方又は両方に固定された上部閉塞板（２４）が設けられて前記空間部（５）の上端部が閉塞され、前記正面板（３ａ）の両端部は、溝付き鋼矢板（４）の各継手（１２）の中心軸線を結ぶ線分からの距離（Ｒ）に差を設けて配置されて、溝付き鋼矢板（４）における継手相互を嵌合して壁体（２７）を形成した場合に、隣り合う正面板（３ａ）の端部が壁厚方向の内外に位置をずらして配置可能にされ、かつ前記空間部（５）に硬化性充填材（７）が充填されて耐腐食性が高められているので、一方の側面板の設置位置を、溝付き鋼矢板（４）の継手部に固定していることで、その継手部の大半の防錆を図ることができ、しかも、隣り合う正面板（３ａ）の端部が壁厚方向の内外に位置をずらして配置可能にされるので、内側に位置する隣り合う正面板（３ａ）の端部に対して、流砂・漂砂・浮遊砂や漂流物の接触による損耗を防止することができる等の効果が得られる。また、空間部（５）に硬化性充填材（７）が充填されているので、溝形断面部材が腐食して貫通しても、硬化性充填材（７）があるため、溝付き鋼矢板（４）の部分の腐食を確実に遅らせることができる等の効果が得られる。さらに、溝付き鋼矢板（４）及び溝形断面部材（３）を打設した後、硬化性充填材（７）を充填するまでの間に、荒天等によって波が荒くなった場合であっても、蓋としての上部閉塞板（２４）が固定されるため、海底の底質の砂や漂流物等が空間部（５）の上端部から侵入することを防止することができる。これにより、空間部（５）に硬化性充填材（７）を充填するときに、空間部（５）に砂や漂流物等が堆積しないため、砂や漂流物等を空間部（５）から除去することを必要とせず、この除去作業が必要としないことで工期を短縮することが可能となるとともに、施工コストの増大を抑制することが可能となる等の効果が得られる。上部閉塞板（２４）は、溝付き鋼矢板（４）及び溝形断面部材（３）の両方に固定されることで、溝付き鋼矢板（４）及び溝形断面部材（３）の曲げ剛性及びねじり剛性をより高めることが可能となる等の効果が得られる。
【００３１】
第２発明によると、第１発明の溝形断面部材を有する鋼矢板において、前記上部閉塞板（２４）は、前記硬化性充填材（７）を充填するための充填孔（３７）と、前記硬化性充填材（７）を充填するときの空気抜きとして用いられる空気孔（３８）とが形成されているので、上部閉塞板（２４）の空気孔（３８）から空気や海水を抜きながら、充填孔（３７）から空間部（５）に硬化性充填材（７）を容易に充填することが可能となる等の効果が得られる。
【００３２】
第３発明によると、第２発明の溝形断面部材を有する鋼矢板において、前記上部閉塞板（２４）は、前記充填孔（３７）及び前記空気孔（３８）の何れか一方又は両方に鉄筋等の棒状補強部材（３９）が挿通され、前記硬化性充填材（７）が前記棒状補強部材（３９）を内部に配置した状態で硬化されるので、上部コンクリート（３３）と空間部（５）の硬化性充填材（７）とが鉄筋（３９）によって一体化し、溝形断面部材を有する鋼矢板（８）と上部コンクリート（３３）との一体性・密着性を向上させることが可能となる等の効果が得られる。
【００３３】
第４発明によると、第１発明〜第３発明のいずれかの溝形断面部材を有する鋼矢板において、前記側面板（１４）は、表面に溝部（１４ｃ）又は突起部（１４ｄ）が形成されるので、側面板（１４）にフジツボ等の海洋生物（４３）が付着しやすく、また、フジツボ等の海洋生物（４３）が積層しても自重による脱落もしずらくなる。このため、側面板（１４）近傍の継手（１２）がフジツボ等の海洋生物（４３）で保護されて、流砂・漂砂・浮遊砂や漂流物の接触・衝突による継手（１２）の損耗を回避することが可能となる等の効果が得られる。
【００３４】
第５発明によると、第１発明〜第４発明のいずれかの溝形断面部材を有する鋼矢板において、前記正面板（３ａ）を、平面視で、溝付き鋼矢板（４）に対して傾斜配置されているので、正面板（３ａ）を単に傾斜させるだけで、隣り合う正面板（３ａ）の端部が壁厚方向の内外に位置をずらして配置することができるので、構造が簡単である等の効果が得られる。
【００３５】
第６発明によると、第１発明〜第５発明のいずれかの溝形断面部材を有する鋼矢板において、前記正面板（３ａ）は、前記溝付き鋼矢板（４）と同じ断面形態の鋼矢板が用いられているので、安価な溝形断面部材を有する鋼矢板とすることができる等の効果が得られる。
【００３６】
第７発明では、第１発明〜第６発明のいずれかの溝形断面部材を有する鋼矢板において、前記溝形断面部材（３）における一方の側面板（１４）は、前記溝付き鋼矢板（４）の継手（２）外面に溶接等の固定手段により固定されているので、水域側に露出する継手外面を少なくして、継手部の一層の防錆を図ることができる等の効果が得られる。
【００３７】
第８発明の溝形断面部材を有する鋼矢板によると、第１発明〜第７発明のいずれかの溝形断面部材を有する鋼矢板において、前記空間部５の少なくとも下端部は、溝付き鋼矢板（４）及び前記溝形断面部材３のいずれか一方又は両方に固定された下部閉塞板（６）が設けられて閉塞されているので、下部閉塞板を有する空間部を容易に形成することができると共にねじり剛性も向上させることができ、さらに空間部に容易にコンクリート等の硬化性充填材を充填して硬化させることができ、溝付き鋼矢板（４）又は下部閉塞板（６）及び断面溝形部材３が腐食して開口しても、硬化性充填材が硬化して存在しているため、硬化性充填材により保護されている部分の溝付き鋼矢板（４）又は下部閉塞板（６）及び断面溝形部材（３）（裏埋土側に配置の場合）の腐食を防止でき、溝形断面部材を有する鋼矢板の耐腐食性能を向上させることができる等の効果が得られる。
【００３８】
第９発明の溝形断面部材を有する鋼矢板では、第１発明〜第８発明のいずれかの溝形断面部材を有する鋼矢板において、溝付き鋼矢板（４）及び前記溝形断面部材（３）のいずれか一方又は両方の所定箇所にスリット（３６）を設け、前記正面板（３ａ）又は前記溝付き鋼矢板（４）の空間部（５）側表面の前記スリット（３６）に対応した箇所に係止用鋼板（２９）を溶接等の手段で固定し、前記係止用鋼板（２９）を前記スリット３６に挿入し、前記係止用鋼板２９の端部は溝付き鋼矢板（４）又は前記溝形断面部材（３）に溶接等の手段で固定されているので、係止用鋼板（２９）により溝付き鋼矢板４と正面板（３ａ）とが係止されているため、正面板（３ａ）の左右方向の端部又は側面板（１４）が損耗しても、正面板（３ａ）が脱落するのを防止することができると共に、溝付き鋼矢板（４）に対する正面板（３ａ）の位置を保持することができる等の効果が得られる。
【００３９】
第１０発明の溝形断面部材を有する鋼矢板では、第１発明〜第９発明のいずれかの溝形断面部材を有する鋼矢板において、正面板３ａ及び前記溝付き鋼矢板（４）のいずれか一方又は両方の所定箇所に開孔（３０）を設け、前記溝付き鋼矢板４又は前記溝形断面部材（３）の空間部５側表面の前記開孔（３０）に対応した箇所に棒状部材（３２）を溶接等の手段で固定し、前記棒状部材（３２）を前記開孔（３０）に挿入し、前記棒状部材（３２）の端部は正面板（３ａ）又は前記溝付き鋼矢板（４）に溶接やナットによる螺合等の手段で固定されているので、棒状部材（３２）により溝付き鋼矢板（４）と正面板（３ａ）とが連結しているため、正面板（３ａ）の左右方向の端部又は側面板（１４）が損耗しても、正面板（３ａ）が脱落するのを防止することができると共に、溝付き鋼矢板（４）に対する正面板（３ａ）の位置を保持することができる等の効果が得られる。
【００４０】
第１１発明の溝形断面部材を有する鋼矢板では、第１発明〜第１０発明のいずれかの溝形断面部材を有する鋼矢板において、溝付き鋼矢板（４）と正面板（３ａ）とが、それらの上部及び下部のいずれか一方又は両方の箇所において、鋼板等からなる間隔保持材２６を溶接等の手段により固定しているので、打設時の正面板（３ａ）及び溝付き鋼矢板（４）のブレ止めを図ることができ、ブレることによる溶接部に不測の応力の発生、溶接部に亀裂が発生することの懸念を排除できるため、溶接部の疲労破壊対策＆２次応力発生防止の役割を果たすことができる等の効果が得られる。
【００４１】
第１４発明の壁体によると、第１発明〜第１３発明のいずれかの溝形断面部材を有する鋼矢板を単独で複数枚配置し、又は請求項１〜１３のいずれか１項に記載の溝形断面部材を有する鋼矢板間に少なくとも１枚の溝形断面部材を有しない鋼矢板を配置し、隣り合う鋼矢板の継手相互を連結して地盤に打設したので、継手部の一部を含めて、従来の場合よりも耐腐食性能の高い壁体とすることができる等の効果が得られる。
【図面の簡単な説明】
【００４２】
【図１】本発明の溝形断面部材を有する鋼矢板に用いられるハット形鋼矢板を示す平面図である。
【図２】（ａ）は、本発明の溝形断面部材を有する鋼矢板を用いた壁体の一実施形態を示す一部縦断側面図であり、（ｂ）は、他の実施形態を示す一部縦断側面図である。
【図３】本発明の溝形断面部材を有する鋼矢板に用いられる下部閉塞板の下側に設ける傾斜板付近を示す縦断側面図である。
【図４】本発明の溝形断面部材を有する鋼矢板に用いられる上部閉塞板を示す縦断側面図である。
【図５】（ａ）は、本発明の溝形断面部材を有する鋼矢板に用いられる上部閉塞板の充填孔及び空気孔を示す横断平面図であり、（ｂ）は、充填孔の蓋を示す縦断側面図であり、（ｃ）は、充填孔の袋ナットを示す縦断側面図である。
【図６】本発明の溝形断面部材を有する鋼矢板を用いた壁体と控え工とを示す一部縦断側面図である。
【図７】本発明の溝形断面部材を有する鋼矢板を用いた壁体における溝形断面部材が配置される位置の変形例を示す一部縦断側面図である。
【図８】本発明の溝形断面部材を有する鋼矢板の一実施形態を示し、（ａ）は正面図、（ｂ）は平面図、（ｃ）は断面図である。
【図９】（ａ）は、本発明の溝形断面部材を有する鋼矢板の正面図、（ｂ）は、この実施形態の変形例の正面図である。
【図１０】本発明の溝形断面部材を有する鋼矢板の説明図である。
【図１１】本発明の溝形断面部材を有する鋼矢板を示す横断平面図である。
【図１２】本発明の溝形断面部材を有する鋼矢板の他の実施形態を示す横断平面図である。
【図１３】本発明の溝形断面部材を有する鋼矢板の変形例を示す横断平面図である。
【図１４】溝付き鋼矢板の継手又は継手付近に側面板が固定される場合の位置及び溶接部を示す拡大横断平面図である。
【図１５】溝形断面部材の正面板を本体側の溝付き鋼矢板に固定する場合の実施形態を示す横断平面図である。
【図１６】空間部に硬化性充填材を充填しない場合の実施形態を示す横断平面図である。
【図１７】本発明の溝形断面部材を有する鋼矢板のさらに他の実施形態を示し、（ａ）は正面図、（ｂ）は縦断側面図である。
【図１８】本発明の溝形断面部材を有する鋼矢板における溝形断面部材と鋼矢板とを係止用鋼板により連結した形態を示すものであって、（ａ）は、図１６（ａ）における矢視の縦断側面図、（ｂ）は、（ａ）の正面図である。
【図１９】本発明の溝形断面部材を有する鋼矢板を用いた壁体の横断平面図である。
【図２０】（ａ）は、上部閉塞板の充填孔から空間部に硬化性充填材が充填される過程を示す縦断側面図であり、（ｂ）は、充填孔又は空気孔に鉄筋を挿通して硬化性充填材を硬化させた状態を示す縦断側面図であり、（ｃ）は、上部コンクリートと硬化性充填材とが鉄筋によって一体化した状態を示す縦断側面図である。
【図２１】（ａ）は、側面板の一実施形態を示す斜視図であり、（ｂ）は、側面板の他の実施形態を示す斜視図であり、（ｃ）は、側面板のその他の実施形態を示す斜視図であり、（ｄ）は、側面板に付着した海洋生物を示す斜視図である。
【図２２】本発明の溝形断面部材を有する鋼矢板の変形例を示す横断平面図である。
【図２３】（ａ）は、図２２（ａ）に示す溝形断面部材を有する鋼矢板の左側面図、（ｂ）は、その正面図、（ｃ）は、その背面図、（ｄ）は、その右側面図である。
【図２４】従来の鋼製カバー材を有する鋼矢板を用いた壁体を示す横断平面図である。
【発明を実施するための形態】
【００４３】
次に、本発明を図示の実施形態に基づいて詳細に説明する。
【００４４】
まず、本発明において使用する溝付き鋼矢板４としての代表形態として、図１に示すハット形鋼矢板２について簡単に説明する。なお、本発明では、鋼矢板の継手相互を嵌合接続して壁体とした場合で、壁体に直角な水平力が作用した場合に、曲げモーメントに対して主として抵抗する部分をフランジ１０（アーム部１９、継手１２も曲げモーメントに対して抵抗する部分で、フランジ１０と同様な機能を発揮する。）と、せん断力に対して主として抵抗する部分をウェブ９として説明する。
【００４５】
図１には、溝付き鋼矢板４の代表形態の一例として示すハット形鋼矢板２を示し、このハット形鋼矢板２の特徴として、フランジ１０の両端部に外側に向かって広がるように傾斜したウェブ９が一体に連設され、各ウェブ９に前記フランジ１０と平行にアーム部１９、１９が一体に連設され、各アーム部１９、１９の端部に、継手１２が一体に形成されている断面ハット形のハット形鋼矢板２であり、左右の各継手１２は、アーム部１９、１９の中心軸線の中央点に対して、点対称形状の継手１２とされ、隣り合うハット形鋼矢板２相互の継手１２を嵌合した場合に、アーム中心軸線上にハット形鋼矢板２を配設することも可能にされている。なお、継手１２には嵌合溝および係止爪部を備えている。このようなハット形鋼矢板２を複数用い継手１２相互を嵌合した壁体は、壁厚方向の両縁端に継手１２が位置することになるため、壁体の壁面に直角な水平力が作用した場合に、壁体に上下方向のせん断力（曲げモーメントの発生に伴って発生するもので、嵌合継手を相対的にずらそうとする力）が作用しても、継手１２は壁厚方向の最外縁に位置しているために、隣り合う鋼矢板の継手間でのずれは生じないため、壁剛性の高い壁体であり、図１に示すハット形鋼矢板２はこのような壁体を構築できる特徴のある鋼矢板である。
【００４６】
図２に示すように、ハット形鋼矢板２からなる溝付き鋼矢板４における前面に、その溝付き鋼矢板４の長手方向の所定範囲Ｌに、前記所定範囲Ｌに対応した長さで、断面ハット形の鋼製の溝形断面部材３における正面板３ａが、溝付き鋼矢板４におけるフランジ１０に対して所定間隔ｈ隔てるように配設されて、帯状鋼板からなる側面板１４を介在させて間接的に溶接等の固定手段で前記溝付き鋼矢板４に固定され、図３に示すように、前記溝付き鋼矢板４と前記溝形断面部材３により形成された空間部５の下端部には、溝付き鋼矢板４及び溝形断面部材３のいずれか一方又は両方に固定された下部閉塞板６が設けられて閉塞されている。下部閉塞板６を溝付き鋼矢板４及び溝形断面部材３の両方に溶接により固定すると、曲げ剛性及びねじり剛性をより高めることができる。
【００４７】
空間部５の上端部には、図４に示すように、蓋としての上部閉塞板２４が、溝付き鋼矢板４及び溝形断面部材３のいずれか一方又は両方に固定されて設けられる。上部閉塞板２４は、溝付き鋼矢板４の表面から溝形断面部材３の上端に架設され、溝付き鋼矢板４及び溝形断面部材３を打設する前に、又は溝付き鋼矢板４及び溝形断面部材３を打設した後速やかに設置され、空間部５の上端部を閉塞するものである。上部閉塞板２４は、溝付き鋼矢板４及び溝形断面部材３の両方に固定されることで、溝付き鋼矢板４及び溝形断面部材３の曲げ剛性及びねじり剛性をより高めることができる。
【００４８】
上部閉塞板２４は、図４（ａ）に示すように、上部閉塞板２４の上面２４ａと、溝付き鋼矢板４の表面とを溶接し、上部閉塞板２４の下面２４ｂと、溝形断面部材３の外面とを溶接することによって固定される。また、上部閉塞板２４は、図４（ｂ）に示すように、上部閉塞板２４の上面２４ａと、溝付き鋼矢板４の表面とを溶接し、上部閉塞板２４の側端面と、溝形断面部材３の上端面とを溶接することによって固定されてもよい。また、上部閉塞板２４は、図４（ｃ）に示すように、上部閉塞板２４の上面２４ａと、溝付き鋼矢板４の表面及び溝形断面部材３の内面とを溶接することによって固定されてもよい。さらに、上部閉塞板２４は、図４（ｄ）に示すように、上部閉塞板２４の上面２４ａ及び下面２４ｂに接続金具４２を取り付けるとともに、溝付き鋼矢板４の表面及び溝形断面部材３の外面に接続金具４２を取り付けて、これらの接続金具４２をボルトナットで連結させることで、機械的に固定されてもよい。
【００４９】
上部閉塞板２４は、溝付き鋼矢板４の表面と溝形断面部材３の上端とに溶接によって固定される場合に、幅方向に連続させて溶接してもよいし、断続的に溶接してもよい。断続的に溶接した場合は、溶接されていない箇所にコーキング等の止水手段を施し、連続させて溶接した場合に比べて、溶接に必要となる手間を軽減させることができる。機械的に固定した場合も、上部閉塞板２４と、溝付き鋼矢板４の表面及び溝形断面部材３の上端との間に、コーキング等の止水手段を施すことができる。
【００５０】
上部閉塞板２４は、図５（ａ）に示すように、後述する硬化性充填材７を充填するための充填孔３７と、硬化性充填材７を充填するときの空気抜きとして用いられる空気孔３８とが、溶断等の手段で形成される。充填孔３７及び空気孔３８は、溝付き鋼矢板４及び溝形断面部材３を打設する前から設けておき、図５（ｂ）に示すように、硬化性充填材７を充填するまで蓋４０が設置される。また、充填孔３７及び空気孔３８は、溝付き鋼矢板４及び溝形断面部材３を打設した後に、硬化性充填材７を充填するときに溶断等の手段で形成されてもよい。なお、充填孔３７及び空気孔３８は、図５（ｃ）に示すように、外面がネジ切りされた短管が設けられ、硬化性充填材７を充填するまで袋ナット４１が取り付けられてもよい。
【００５１】
溝付き鋼矢板４に溝形断面部材３を取付ける前記の所定の範囲Ｌは、基本的には、構造設計（計算）や設置環境（劣化環境（腐食環境、漂砂・流砂環境、漂流物環境等）によって決定される。
構造計算によって決定される場合を、次の（１）、（２）に例示する。
（１）部材断面が応力で決定する構造の場合には、例えば、図６に示すように、曲げモーメントの大きな部位を含む範囲等の発生応力の大きな部位を含む範囲Ｌに設置する。
（２）部材断面が変位で決定する構造の場合には、例えば、図２（ｂ）或は図７（ａ）〜（ｄ）に示すような自立鋼矢板壁の場合は、設計地盤面近傍（主として設計地盤面以深）を含む範囲等の変位を小さくするのに効果的な範囲Ｌに溝形断面部材３を設置する。
なお、図２（ａ）（ｂ）又は図７（ｃ）に示すように、標準的な海洋環境において集中腐食が生じる恐れが高い干満帯直下付近（水深０．５ｍ、好ましくはＬ．Ｗ．Ｌより下方水深１ｍまでの範囲）をカバーする範囲が前記Ｌに含まれる形態では、防食及び剛性の両方で有利になる。なお、前記の所定の範囲Ｌは、前記の構造設計による条件を満たした上で、例えば、図２（ｂ）に示すように、水域における波や河川流の影響による洗掘を考慮する場合には、水底地盤２３中の所定の深度まで含むようにしてもよい。
【００５２】
なお、図７（ａ）に示す壁体２７は、自立鋼矢板壁で、溝形断面部材を有する鋼矢板８の溝形断面部材３を、水底地盤２３中の所定の深度から水中に渡るように設置する形態としている。このような形態では、水底地盤において砂などの動きが激しい場合には、砂摩耗対策を兼ねることができる。
図７（ｂ）に示す壁体２７は、自立鋼矢板壁で、溝形断面部材３を裏埋土１７側に配置する形態としてもよい。このような形態では、裏埋土を投入するまでの期間が長く、その間、水底地盤において砂などの動きが激しい場合には、砂摩耗対策を兼ねることができる。
図７（ｃ）（ｄ）に示す自立鋼矢板壁の壁体２７のように、溝形断面部材３を水底地盤２３中の所定の深度から上方に連続して設け、溝形断面部材３及びハット形鋼矢板２からなる溝付き鋼矢板４の上端部を上部コンクリート３３に埋め込むようにしてもよい。このような形態では、より高い剛性を発揮する。
図７（ｄ）に示す形態では、溝形断面部材３が裏埋土１７側に埋め込まれているので、海側は溝付き鋼矢板４のみとなるから、海側の側壁面が溝形断面部材３による凹凸がない分、平坦な側壁面とすることができる。
溝形断面部材３は、正面板３ａ及び側面板１４の何れか一方又は両方の所定範囲Ｌで、溝形断面部材３の表面に所定厚さの鋼板を溶接等の適宜手段で取り付けたり、正面板３ａ及び側面板１４の何れか一方又は両方の板厚の一部を、他の部位に比較して部分的に厚くすることができる。これにより、水底の底質（砂、砂礫等）の移動が激しく鋼材の摩耗による減厚が激しい部位の溝形断面部材３の板厚を大きくしておくことができ、また、海洋、港湾環境で鋼材の腐食が激しい（集中腐食）部位の溝形断面部材３の板厚を予め大きくして、耐腐食性能を向上させることができる。
また、図６に示す壁体２７では、控え工３４と溝形断面部材を有する鋼矢板８の上部とを、適宜受梁及び支承板を介在させてタイロッド３５及びこれに装着される雌ねじ部材を用いて連結する、タイロッド式（控え工式）鋼矢板壁としている。
なお、硬化性充填材７は、空間部５の全長に亘り充填する場合と、必要な範囲に充填する場合がある。前記の必要な範囲に充填する場合には、適宜中間型枠を設けて硬化性充填材７を充填する。
【００５３】
溝形断面部材を有する鋼矢板８を水底地盤２３に打設する場合には、下部閉塞板６が水平に突出しているため、打設時に抵抗が大きくなり、その抵抗低減のために、図３に示すように、下部閉塞板６先端から鋼矢板に向って、下方に傾斜する貫入抵抗低減用の傾斜板１３を配置して、溝形断面部材３と鋼矢板に溶接等により固定して設ける。下部閉塞板６を省略して、傾斜板１３により下部閉塞板６を兼用して溝形断面部材の下端側を閉塞する場合には、図８（ａ）〜（ｃ）に示す実施形態のように、正面板３ａと帯状の側面板１４の下端と、鋼矢板２に渡って、鋼矢板２に向って下方に傾斜する正面側の複数の傾斜板１３、及び鋼矢板２と前記正面側の傾斜板１３と、溝形断面部材３の下端との間を閉塞する鋼製側面閉塞板１６を、溶接等により固定すると、簡単な構造で溝形断面部材３の下端側の前面及び側面を閉塞とすることができる。前記の側面閉塞板１６は、鋼矢板側の継手溝を閉塞しないように配設及び溶接されて固定される。図２（ｂ）に示すように、溝形断面部材３の下端が地盤面下に位置するところまで設ける場合には、前記の下部閉塞板６及び傾斜板１３を設けなくてもよく、打設した部分の水底地盤を閉塞手段として利用してもよい。なお、このとき、一つの実施形態として、図９（ｂ）に示すように、溝形断面部材３を鋼矢板２の下端まで設けることもできる。
【００５４】
次に、前記の溝形断面部材３について、図９〜図１２を参照して説明する。前記の溝形断面部材３は、図１０に示すように、幅寸法の小さい一方の側面板１４（１４ａ）と、それよりも幅寸法の大きい他方の側面板１４（１４ｂ）とを、正面板３ａの背面に上下方向に所定の範囲に渡って配置されて、隅肉溶接Ｗにより固定することで形成されている。前記の正面板３ａは、図１１に示す形態では、ハット形鋼矢板２からなる溝付き鋼矢板４と同じ材料からなり、これをほぼ所定範囲Ｌになるように短尺又は長尺に切断することで、正面板３ａとして用いて、前記の所定範囲Ｌをカバーされるようにされる。実施形態では、ハット形鋼矢板２と同じ断面形態の部材を、カバー材としての溝形断面部材３の正面板３ａとして使用しているため、横断平面図において、わかりやすくするために、鋼矢板壁を形成しているハット形鋼矢板２には、ハッチングを付し、カバー材としての溝形断面部材３には、ハッチングを付さないで示している。
【００５５】
溝形断面部材３における正面板３ａは、フランジ１０ａの両端部に外側に向かって広がるように傾斜したウェブ９ａが一体に連設され、各ウェブ９ａに前記フランジ１０ａと平行にアーム部１９ａが一体に連設され、各アーム部１９ａの端部に、継手１２ａが一体に形成されている断面ハット形のハット形鋼矢板を所定の長さに切断して形成されているため、中央部がフランジ１０ａにより凸となる形態の正面板とされる場合（図１１の場合）と、反転配置した場合（図１２の場合）とがあるが、各アーム部１９ａの中心軸線の中央点に対して、点対称形状の継手１２ａとされている点も同様である。左右の各継手１２ａは、隣接する継手と嵌合するための継手としての機能を期待しないで、一方の側面板１４の基端側を固定するため、及び鋼矢板側の継手１２の水域側への露出を少なくし、耐腐食性能を向上するための部分としている。
【００５６】
図１０に示すように、溝形断面部材３には、他方の側面板に比べて、小幅寸法Ｈ１とされた一方の帯状鋼板からなる側面板１４（１４ａ）と、前記幅寸法Ｈ１よりも幅寸法の大きい幅寸法Ｈ２とされた他方の側面板１４（１４ｂ）が設けられている。溝形断面部材３における前記の一方の側面板１４ａの基端部は、正面板３ａにおける一方の継手１２の溝側の爪先端部に立設するように配置されて、外側からの溶接Ｗ１により固定され、他方の側面板１４（１４ｂ）は、他方の継手１２近傍のアーム部１９ａに立設するように配置されて、外側からの溶接Ｗ１により固定された溝形断面部材３とされている。前記の一方の側面板１４ａと他方の側面板１４ｂの幅寸法は、設計により設定される。
【００５７】
前記のように構成された溝形断面部材３では、平面視で、溝付き鋼矢板４に対して傾斜配置することが可能になることから、正面板３ａにおける一方の継手１２ａは、隣り合う鋼矢板の正面板３ａとの関係では、他方の正面板３ａの継手の背面側に位置するようになるために、壁厚方向の内側に位置する部分は、流砂・漂砂・浮遊砂や漂流物の接触・衝突による損耗を回避することができる。
【００５８】
また、溝形断面部材３における各側面板１４（１４ａ、１４ｂ）と、正面板３ａとにより形成される溝外側面には、全ねじボルト２１等のジベル１８が上下方向及び左右方向に間隔をおいて予め設けられている。また、同様にハット形鋼矢板２からなる溝付き鋼矢板４側のウェブ９及びフランジ１０により形成される溝内側面及びアーム部１９とに全ねじボルト２１等のジベル１８が設けられ、必要に応じ溶接金網等のメッシュ材２８、鉄筋２０等を前記ジベル１８に固定するように設けてもよく、図１３に示すように、空間部５を形成している鋼矢板２及び側面板１４の内側にボルト２１の基端部を溶接等により固定して、ナット２５を固定する形態のジベルとしてもよい。
【００５９】
そして、図１４に示すように、溝形断面部材３の一方の側面板１４（１４ａ）及び他方の側面板１４（１４ｂ）は、矢板壁側の継手中心を結ぶ中心軸線に直角に配置されて、一方の側面板１４（１４ａ）の先端部は、ハット形鋼矢板２からなる溝付き鋼矢板４の継手１２の溝底部裏面に外側からの溶接Ｗ２により固定されていることで、他方の側面板１４（１４ｂ）の先端部は、前記ハット形鋼矢板２のアーム部１９に外側からの溶接Ｗ２により固定されていることで、溝底部裏面までの防食層１５を越えて、防食範囲を溶接Ｗ２間までの広い範囲の防食範囲とされた溝形断面部材を有する鋼矢板８とされ、さらに空間部５に硬化性充填材７が充填されていることで、剛性及び防食の両方の性能を向上させた溝形断面部材を有する鋼矢板８としている。なお、硬化性充填材７により防食され、しかも側面板１４（１４ａ、１４ｂ）並びにその外側の溶接Ｗ２があり確実に防食されているので、前記の防食層１５を省略してもよい。
【００６０】
なお、溝形断面部材を有する鋼矢板８は、図１５に示すように、空間部５に硬化性充填材７が充填されていないものとすることもできる。溝付き鋼矢板４は、溝付き鋼矢板４の溝底部の表面、裏面のいずれか一方又は両方に有機ライニング（エポキシ樹脂、ウレタン樹脂等）を施すことによって防食層１５を形成することができ、また、溝形断面部材３は、正面板３ａの海側の側壁面や側面板１４の海側の表面に有機ライニング（エポキシ樹脂、ウレタン樹脂等）を施すことによって防食層１５を形成することもできる。さらに、溝形断面部材３は、空間部５の内面を構成する各面に有機ライニング（エポキシ樹脂、ウレタン樹脂等）を施すことによって防食層１５を形成することもできる。また、有機ライニングに代えて、ステンレスやチタンなどの金属ライニングを施しても良い。その際、溝形断面部材を有する鋼矢板８と前記金属ライニングとの接続部及びその近傍には、異種金属接触腐食を防止するための措置（塗装等）を施すことが望ましい。
【００６１】
溝付き鋼矢板４及び溝形断面部材３のいずれか一方又は両方の所定箇所にスリット３６を設け、正面板３ａ又は溝付き鋼矢板４のフランジ１０の空間部５側の表面のスリット３６に対応した箇所に係止用鋼板２９を溶接等の手段で固定し、係止用鋼板２９をスリット３６に挿入し、係止用鋼板２９の端部は溝付き鋼矢板４又は溝形断面部材３に溶接等の手段で固定されたものとすることもできる。このような場合の一つの実施形態としては、図１６の中央部又は図１７及び図１８に示すように、溝付き鋼矢板４の所定箇所に（例えば、フランジ１０の幅方向中央部で上下方向に間隔をおいて）スリット３６を設け、前記正面板３ａの空間部５側表面の前記スリット３６に対応した箇所に、長方形等の係止用鋼板２９の基端側を溶接等の手段で固定し、前記係止用鋼板２９を前記スリット３６に挿入し、前記係止用鋼板２９の端部は溝付き鋼矢板４に溶接による固定手段で固定されている。このように、係止用鋼板２９により溝付き鋼矢板４に正面板３ａを係止していると、正面板３ａの左右方向の端部又は側面板１４が損耗しても、正面板３ａが脱落するのを防止することができると共に、溝付き鋼矢板４に対する正面板３ａの位置を保持することができる。前記のスリット３６を溝付き鋼矢板４に、係止用鋼板２９を溝形断面部材３に予め設けておき、溝形断面部材３の側面板１４を溝付き鋼矢板４に溶接等の手段により連結一体化する時に、スリット３６に係止用鋼板２９の先端部を挿入して、溶接等の手段により固定するようにすればよい。前記の係止用鋼板２９の中間部に凹部又は孔を設けておくと、経時硬化性充填材７が充填硬化していると、ジベルとしての機能を発揮することができ、経時硬化性充填材７との一体化、さらには、溝付き鋼矢板４及び溝形断面部材３の一体化を向上させることができる。
【００６２】
また、前記の係止用鋼板２９と同様な目的で、正面板３ａ及び溝付き鋼矢板４のフランジ１０のいずれか一方又は両方の所定箇所に開孔３０を設け、溝付き鋼矢板４又は溝形断面部材３の空間部５側の表面の開孔３０に対応した箇所に棒状部材３２を溶接等の手段で固定し、棒状部材３２を開孔３０に挿入し、棒状部材３２の端部は正面板３ａ又は溝付き鋼矢板４のフランジ１０に溶接やナットによる螺合等の手段で固定されたものとすることもできる。このような場合の一つの実施形態としては、図１６の右端部に示すように、正面板３ａの所定箇所に（例えば、フランジ１０の幅方向中央部で上下方向に間隔をおいて）開孔３０を設け、前記溝付き鋼矢板４の空間部５側表面の前記開孔３０に対応した箇所に棒状部材３２の基端部を溶接等の手段で固定し、前記棒状部材３２を前記開孔３０に挿入し、前記棒状部材３２の端部は正面板３ａに溶接やナット２５による螺合等の手段で固定されていると、棒状部材３２により溝付き鋼矢板４に正面板３ａを連結しているため、正面板３ａの左右方向の端部又は側面板１４が損耗しても、正面板３ａが脱落するのを防止することができると共に、溝付き鋼矢板４に対する正面板３ａの位置を保持することができる。
【００６３】
前記のように、係止用鋼板２９或は棒状部材３２を溝形断面部材３における正面板３ａに設けた状態で、前記の一方の側面板１４（１４ａ）及び他方の側面板１４（１４ｂ）の先端側を鋼矢板本体側に外側からの溶接により固定する。また、図８（ａ）の上部に示すように、ハット形鋼矢板２と正面板３ａとを、鋼板等からなる間隔保持材２６の両端部を溶接により固定することで、溝付き鋼矢板４と正面板３ａとの間隔を保持するようにしてもよい。前記の間隔保持材２６は、溝形断面部材を有する鋼矢板８の打設時のブレ止めの役割を果たす。溝付き鋼矢板４と溝形断面部材３がブレると、溶接部に不測の応力が発生し、溶接部に亀裂が発生することが懸念され、溶接部の疲労破壊対策及び２次応力発生防止の効果がある。前記のようにして、溝形断面部材を有する鋼矢板８を製作する。なお、間隔保持材２６を複数設ける場合に、上部に設置した間隔保持材２６に吊り金具を取り付ける開孔を設け、間隔保持材２６と吊り金具を兼用するとよい。
【００６４】
図１９に示すように、一方の側面板１４（１４ａ）と他方の側面板１４（１４ｂ）が、幅寸法が異なること、ほぼ直角状態で配置されていることで、溝形断面部材３における正面板３ａの両端部は、溝付き鋼矢板４の各継手１２の中心軸線を結ぶ線分Ｃからの距離Ｒに差を設けて配置されている。正面板３ａの一方の端部（継手１２ａ）外側面までの距離Ｒ１（Ｒ）と、他方の端部（継手１２ａ）外側面までの距離Ｒ２（Ｒ）には、少なくとも端部（継手１２ａ）の厚さ寸法分の差を設けている。溝付き鋼矢板４における継手相互を嵌合して壁体２７を形成した場合に、隣り合う正面板３ａの端部が壁厚方向の内外に位置をずらして配置可能にされている。尤も、前記の一方の側面板１４（１４ａ）を傾斜させて配置し、図１１左側の一方のアーム部１９に固定する場合には、一方の側面板１４（１４ａ）と他方の側面板１４（１４ｂ）の幅寸法が同じ場合もありえるから、側面板の幅寸法の大小のみで、溝形断面部材３における正面板３ａの傾斜配置が決まるものでもない。したがって、同じ幅寸法の側面板１４としていずれか一方の側面板を傾斜配置してもよく、また、幅寸法の大きい側面板を傾斜配置することでもよい。しかし、側面板１４（１４ａ、１４ｂ）を立設するように配置して、その幅寸法の大小により、正面板を傾斜させる構造であると、構造が簡単であり、壁面に直角な水平力が作用した場合には、傾斜している側面板よりも直角に立設する形態の方が溶接部の負担が大きくなる恐れがなく有利である。
【００６５】
なお、水底地盤を底型枠として利用する場合には、前記の傾斜板１３及び下部閉塞板６を省略してもよいが、前記のように、下端側が下部閉塞板又は傾斜正面板等により閉塞された形態では、上部に構造物を構築する場合に支持可能な形態になっていると共に剛性を高めている。また、溝付き鋼矢板４と共同して空間部５を形成している溝形断面部材３の下端部が開放された状態の溝形断面部材を有する鋼矢板８でも、溝形断面部材３の下端部が地盤中に比較的深く打設され、空間部５に土が侵入し、溝形断面部材３の先端が閉塞された状態になるときにも、溝形断面部材を有する鋼矢板８の上部に構造物を構築する場合に支持可能な形態になっていると共に剛性（ねじり剛性）を高めている。
【００６６】
前記のような溝形断面部材を有する鋼矢板８を水底地盤２３に打設すると共に隣り合う溝形断面部材を有する鋼矢板８の継手１２相互を噛み合わせて打設し、予め又は打設後、空間部５に経時硬化性充填材７を充填して、図１９に示すような壁体２７を構築する。
【００６７】
空間部５の上端部には、図４に示すように、蓋としての上部閉塞板２４が固定されるため、溝付き鋼矢板４及び溝形断面部材３を打設した後、硬化性充填材７を充填するまでの間に、荒天等によって波が荒くなった場合であっても、海底の底質の砂や漂流物等が空間部５の上端部から侵入することを防止することができる。これにより、本発明に係る溝形断面部材を有する鋼矢板８は、空間部５に硬化性充填材７を充填するときに、空間部５に砂や漂流物等が堆積しないため、砂や漂流物等を空間部５から除去することを必要とせず、この除去作業が必要としないことで工期を短縮することが可能となるとともに、施工コストの増大を抑制することが可能となる。
【００６８】
上部閉塞板２４は、図５に示すように、充填孔３７及び空気孔３８を溶断等の手段で形成し、又は蓋４０、袋ナット４１を取り外して、図２０（ａ）に示すように、硬化性充填材７が空間部５にホース等の充填管４３で充填される。このとき、硬化性充填材７は、図５に示す上部閉塞板２４の空気孔３８から空気や海水を抜きながら、上部閉塞板２４の充填孔３７から空間部５に注入されて、空間部５で硬化することになる。これにより、上部閉塞板２４は、上部閉塞板２４の空気孔３８から空気や海水を抜きながら、充填孔３７から空間部５に硬化性充填材７を容易に充填することが可能となる。このとき、硬化性充填材７は、図２０（ｂ）に示すように、上部閉塞板２４の充填孔３７及び空気孔３８の何れか一方又は両方に鉄筋等のフック付き棒状補強部材３９を挿通して、鉄筋等のフック付き棒状補強部材３９を内部に配置した状態で硬化するものとしてもよい。
【００６９】
本発明に係る溝形断面部材を有する鋼矢板８は、図２０（ｃ）に示すように、硬化性充填材７の少なくとも上方部と上部コンクリート３３の内部とにまたがるように鉄筋等のフック付き棒状補強部材３９を配設してもよい。これにより、硬化性充填材７は、上部コンクリート３３と空間部５の硬化性充填材７とが鉄筋等のフック付き棒状補強部材３９によって一体化し、本発明に係る溝形断面部材を有する鋼矢板８と上部コンクリート３３との一体性・密着性を向上させることが可能となる。
【００７０】
前記の硬化性充填材７としては、設計により、次の［１］〜［４］のいずれかの硬化性充填材を充填することもできる。
［１］セメント系経時硬化性充填材（セメントミルク、モルタル、コンクリート、レジ
ンモルタルなど）
［２］高分子樹脂系充填材（エポキシ樹脂、ウレタン樹脂等）
［３］ソイル系充填材（ソイルセメントなど）
［４］歴性質系充填材（アスファルトなど）
【００７１】
図１９に示すような壁体２７では、一方の正面板３ａの端部（継手１２ａ）が内側に位置しているため、流砂・漂砂・浮遊砂や漂流物の接触・衝突による損耗を防止していると共に溝形断面部材を有する鋼矢板８側の継手１２は、水域側に露出している部分が、従来の場合より格段に少なくなっているので、この部分の耐腐食性能を向上していると共に、溝形断面部材３及び硬化性充填材７により２重に耐腐食性能を向上させている。なお、図示を省略するが必要に応じ、溝形断面部材を有する鋼矢板８における溝形断面部材を含めて水域地盤等の地盤に貫入させた場合の壁体２７の上部に構造物を構築する。
【００７２】
前記のような本発明の場合には、さらに、下記（１）〜（６）のような効果を発揮することもできる。
（１）溝付き鋼矢板には、予め鋼製の溝形断面部材が設けられているので、溝付き鋼矢板における集中腐食部位を溝形断面部材により防護することができ、溝付き鋼矢板自身の集中腐食を回避することができる。
（２）鋼製の溝形断面部材を使用するので、流木や氷盤が衝突しても機械的損傷を受けづらい。
（３）工場などであらかじめ溝付き鋼矢板に溝形断面部材及び傾斜板並びに側面板を取り付けることができるので、安価な溝付き鋼矢板とすることができる。
（４）空間部への硬化性充填材の充填は、溝付き鋼矢板を打設する前に、充填しておく場合と、溝付き鋼矢板打設後に充填する場合があるが、いずれも、予め充填する空間部が形成されているので、充填作業が容易である。
（５）溝形断面部材において、集中腐食部位の腐食が進行した場合には、当該部位を覆うように鋼板を溶接するだけで、容易に溝形断面部材としての機能を回復させることができる。
（６）空間部に充填材が充填されている形態では、鋼矢板壁の点検作業時において、溝形断面部材における集中腐食の進行を見逃し、溝形断面部材に貫通孔が生じても、セメント硬化体などの充填材が本体鋼矢板を保護することができる。このため、集中腐食現象を見逃しても大きな問題は生じない。
【００７３】
図１２（ａ）（ｂ）には、本発明の他の形態の溝形断面部材を有する鋼矢板８を用いて壁体２７を形成した形態が示されている。図１９に示す形態と比較して相違する点は、溝形断面部材３側の正面板３ａは、素材はハット形鋼矢板と同じであるため、図１２（ａ）に示す形態では、正面板３ａを１８０°回転させた状態で配置して、一方の側面板１４（１４ａ）と他方の側面板１４（１４ｂ）を正面板３ａに設置した溝形断面部材３とし、そのような溝形断面部材３を、ハット形鋼矢板２のアーム部１９に固定した形態である。このような形態では、正面板３ａ側の溝とハット形鋼矢板２の溝が対向するようになり、壁厚寸法が大きく、剛性を大きくしていると共に、経時硬化性充填材７により耐腐食性能をより向上している形態である。また、図１２（ｂ）に示す形態は、ハット形鋼矢板２を１８０°回転させた状態で、溝形断面部材３の側面板をハット形鋼矢板２のアーム部１９に取り付けた形態である。図１２（ｂ）に示す形態では、各側面板が前記各実施形態に比べて、広幅となることから、鋼矢板の継手１２から正面板３ａまでの距離が長くなり、その分、継手１２に対する流砂の影響を少なくして、磨耗を低減していると共に、側面板間をより静水域として継手１２に対する流砂・漂砂・浮遊砂や漂流物の接触・衝突による損耗を低減していると共に、側面板間をより静水域として継手１２の損耗を低減するようにしている。
【００７４】
前記実施形態では、ハット形鋼矢板２からなる溝付き鋼矢板４と溝形断面部材３の正面板３ａが、図２４に示す従来のように、同じ狭幅の取り付け用側面板１４１を用いて取り付けて壁体構築方向と同じ方向ではなく、幅の異なる側面板を用いて、或は一方の側面板を傾斜配置することで、溝付き鋼矢板４と溝形断面部材３の正面板３ａが非同一方向に配設されているため、溝付き鋼矢板と溝形断面部材の重心位置が、従来技術の同一方向配置の場合に比較し離間しているようになり、合成断面としての断面性能は、同一方向（従来技術）の場合に比較し大きい。また、図示の実施形態のように、正面板３ａに、ハット形鋼矢板２に同じ素材のハット形鋼矢板を使用しているため、経済的である。
【００７５】
なお、壁体２７を構築する場合に、空間部５に経時硬化性充填材７を充填しない状態の溝形断面部材を有する鋼矢板８を水底地盤に打設してもよく、経時硬化性充填材７を充填しない状態の溝形断面部材を有する鋼矢板８の隣り合う継手相互を噛み合わせて、水底地盤に打設し、次いで、空間部５に経時硬化性充填材（７）を充填して壁体２７を構築する形態としてもよい。
なお、壁体２７を構築する場合には、（Ａ）本発明の溝形断面部材を有する鋼矢板のみを用いた形態の壁体としてもよく、（Ｂ）本発明の溝形断面部材を有する鋼矢板と溝形断面部材を有しない鋼矢板とを交互に配置した形態の壁体としてもよく、（Ｃ）溝形断面部材を有する鋼矢板の間に２枚以上の溝形断面部材を有しない鋼矢板を介在させる形態の壁体としてもよく、前記（Ａ）（Ｂ）（Ｃ）のように一定の規則で配置した形態の壁体でもよい。このように、溝形断面部材を有する鋼矢板を組み込んだ壁体では、従来の場合よりも剛性の高い壁体を経済的に実現できる。なお、前記の溝形断面部材を有しない鋼矢板としては、例えば、ハット形鋼矢板２を用いるとよい。
なお、溝付き鋼矢板や溝形断面部材にズレ止め（スタッドボルト、孔明鋼板ジベル、曲げ鉄筋、形鋼ジベル等）を設置したり、硬化性充填材を補強するための補強材（鉄筋、ガラス繊維などの繊維、スチールファイバーなど）を配設・混入させても良い。
【００７６】
本発明を実施する場合に、側面板１４は、正面視で縦長の長方形状の平板状鋼板あるいは表面に溝或は凹凸を有する形態であってもよい。このとき、側面板１４は、図２１（ａ）に示すように、表面に幅方向に延びるように形成された溝部１４ｃや、図２１（ｂ）に示すように、空間部５とは反対側の外側に突出させて形成された突起部１４ｄを有するものとなる。また、側面板１４は、図２１（ｃ）に示すように、スタッドボルト１４ｅを設けることもできる。これにより、本発明に係る溝形断面部材を有する鋼矢板８は、海中に長期間設置されることで、図２１（ｄ）に示すように、側面板１４にフジツボ等の海洋生物４４を付着しやすくするとともに、側面板１４からフジツボ等の海洋生物４４が脱落することを防止することができ、図１４に示すように、側面板１４近傍の継手１２がフジツボ等の海洋生物４４で保護されて、流砂・漂砂・浮遊砂や漂流物の接触・衝突による継手１２の損耗を回避することが可能となる。
【００７７】
本発明を実施する場合に、正面板３ａとしては、溝付き鋼矢板４と同じ断面のハット形鋼矢板を用いると経済的であるが、ハット形鋼矢板に限定されるものではなく、ハット形鋼矢板以外にも、正面視で縦長の長方形状の平板状鋼板あるいは表面に溝或は凹凸を有する形態の鋼板を用いた正面板であってもよい。隣り合う鋼矢板における正面板３ａの側端縁間で壁厚方向に位置をずらすために、横断平面で、一方の正面板３ａの側端縁を壁厚方向の後方に、他方の正面板３ａの側端縁を壁厚方向の前方に、湾曲させた湾曲部としたり、屈折させた断面Ｌ形部としたり、傾斜させた傾斜部とすることも可能である。
【００７８】
本発明を実施する場合、溝形断面部材を有する鋼矢板を港湾鋼構造物等の水域構造物や擁壁、土留壁などの陸域構造物に用いるようにしてもよい。
【００７９】
なお、本発明を実施する場合は、図２２（ａ）に示すように、フランジ１０の溝底部が深い溝付き鋼矢板４に、正面板３ａの溝底部が深い溝形断面部材３を設けることもできる。また、図２２（ｂ）に示すように、フランジ１０の溝底部が深い溝付き鋼矢板４に、正面板３ａの溝底部が浅い溝形断面部材３を設けることもでき、さらに、図２２（ｃ）に示すように、フランジ１０の溝底部が深い溝付き鋼矢板４を反転させるとともに、正面板３ａの溝底部が浅い溝形断面部材３を反転させることもできる。図２３は、図２２（ａ）に示す溝形断面部材を有する鋼矢板８の左側面図、正面図、背面図及び右側面図である。側面板１４等の固定手段としては、溶接以外にもボルト等により固定してもよく、溶接及びボルトとを併用するようにしてもよい。
【００８０】
なお、本発明を実施する場合は、溝形断面部材を有する鋼矢板８の打設前に、工場や陸上ヤードなどで予め溝付き鋼矢板４に溶接等の手段で溝形断面部材３を固定するものであり、既設の鋼矢板壁に対して溝形断面部材３を後付けで固定するものではなく、既に溝形断面部材３が固定された溝付き鋼矢板４を打設して新設の鋼矢板壁を構築することができる。これにより、溝形断面部材を有する鋼矢板８は、水底地盤２３に打設されて新設の鋼矢板壁を構築し、その後、現位置で空間部５に硬化性充填材７を充填し・硬化させるだけなので、波浪の影響も受けづらく、工事期間が短く、経済性の高い溝形断面部材３付きの鋼矢板壁を提供できるものとなる。
【００８１】
一般的に、異形鋼矢板等の製作の際に、鋼矢板に鋼材を溶接すると、熱影響で鋼矢板が変形することになり、この変形を矯正するために多くの手間とコストと時間とを要しており、この熱影響による鋼矢板の変形を極力少なくするために、厚めの鋼片を変形抑止治具として異形鋼矢板構成部材（鋼矢板、鋼矢板片、鋼板）に取り付け、加工終了後に、この鋼片を切断撤去するという方法が、従来より採用されていた。しかしながら、溝形断面部材を有する鋼矢板８は、溝形断面部材３に使用する鋼部材が、変形抑止治具の役割を果たすため、溶接熱の影響による溝付き鋼矢板４の変形は極めて少なく、また、溝形断面部材３を切断撤去する必要もないので、極めて合理的に製作することを可能とするものとなる。
【符号の説明】
【００８２】
２        ：ハット形鋼矢板
３        ：溝形断面部材
３ａ      ：正面板
４        ：溝付き鋼矢板
５        ：空間部
６        ：下部閉塞板
７        ：硬化性充填材
８        ：鋼矢板
９        ：ウェブ
９ａ      ：ウェブ
１０      ：フランジ
１０ａ    ：フランジ
１２      ：継手
１２ａ    ：継手
１３      ：傾斜板
１４      ：側面板
１４ａ    ：側面板
１４ｂ    ：側面板
１４ｃ    ：溝部
１４ｄ    ：突起部
１４ｅ    ：スタッドボルト
１５      ：防食層
１６      ：側面閉塞板
１７      ：裏埋土
１８      ：ジベル
１９      ：アーム部
１９ａ    ：アーム部
２１      ：ボルト
２３      ：水底地盤
２４      ：上部閉塞板
２４ａ    ：上面
２４ｂ    ：下面
２５      ：ナット
２６      ：間隔保持材
２７      ：壁体
２８      ：メッシュ材
２９      ：係止用鋼板
３０      ：開孔
３２      ：棒状部材
３３      ：上部コンクリート
３４      ：控え工
３５      ：タイロッド
３６      ：スリット
３７      ：充填孔
３８      ：空気孔
３９      ：棒状補強部材
４０      ：蓋
４１      ：袋ナット
４２      ：接続金具
４３      ：充填管
４４      ：海洋生物
【図１】
2014125772.tif 000003
【図２】
2014125772.tif 000004
【図３】
2014125772.tif 000005
【図４】
2014125772.tif 000006
【図５】
2014125772.tif 000007
【図６】
2014125772.tif 000008
【図７】
2014125772.tif 000009
【図８】
2014125772.tif 000010
【図９】
2014125772.tif 000011
【図１０】
2014125772.tif 000012
【図１１】
2014125772.tif 000013
【図１２】
2014125772.tif 000014
【図１３】
2014125772.tif 000015
【図１４】
2014125772.tif 000016
【図１５】
2014125772.tif 000017
【図１６】
2014125772.tif 000018
【図１７】
2014125772.tif 000019
【図１８】
2014125772.tif 000020
【図１９】
2014125772.tif 000021
【図２０】
2014125772.tif 000022
【図２１】
2014125772.tif 000023
【図２２】
2014125772.tif 000024
【図２３】
2014125772.tif 000025
【図２４】
2014125772.tif 000026